(57)【要約】【課題】規定した損券の排出量を確保して、オペレータによる損券レベルの変更操作を低減することのできる銀行券鑑査装置及び鑑査方法を提供する。【解決手段】一括供給された銀行券を１枚ずつ機内に供給し、供給される銀行券の汚損状態を検知し、検知結果に対応して、銀行券の再流通可否を判断し、検知結果に基づいて、実際の損券率に関する情報を提供し、流通可否を判断する際の基準である損券レベルと、目標の損券率とを指定し、目標損券率と実際の損券率とを比較して、許容された範囲において損券レベルを補正して実際の損券率が目標損券率になるように制御する銀行券鑑査方法である。【選択図】      図６
2008250530.tif 000002
【特許請求の範囲】
【請求項１】
一括供給された銀行券を１枚ずつ機内に供給する供給部と、
供給される銀行券の汚損状態を検知する検知部と、
検知結果に対応して、前記銀行券の再流通可否を判断する判断部と、
検知結果に基づいて、実際の損券率に関する情報を提供する情報提供部と、
前記判断部が判断する際の基準である損券レベルと、目標の損券率とを指定する操作部と、
前記目標損券率と実際の損券率とを比較して、許容された範囲において前記損券レベルを補正して実際の損券率が目標損券率になるように制御する制御部と
を備えたことを特徴とする銀行券鑑査装置。
【請求項２】
前記情報提供部は、バッチ単位に前記実際の損券率に関する情報を提供することを特徴とする請求項１に記載の銀行券鑑査装置。
【請求項３】
前記操作部は、前記損券レベルと前記目標の損券率とを銀行券の券種ごとに指定するようになされ、
前記制御部は、券種毎に前記実際の損券率を制御すること
を特徴とする請求項１または２に記載の銀行券鑑査装置。
【請求項４】
前記実際の損券率は、初期状態からの前記情報提供部が提供する情報を累計して算出されることを特徴とする請求項１乃至３の内いずれか１項に記載の銀行券鑑査装置。
【請求項５】
一括供給された銀行券を１枚ずつ機内に供給し、
供給される銀行券の汚損状態を検知し、
検知結果に対応して、前記銀行券の再流通可否を判断し、
検知結果に基づいて、実際の損券率に関する情報を提供し、
流通可否を判断する際の基準である損券レベルと、目標の損券率とを指定し、
前記目標損券率と実際の損券率とを比較して、許容された範囲において前記損券レベルを補正して実際の損券率が目標損券率になるように制御すること
を特徴とする銀行券鑑査方法。
【請求項６】
前記実際の損券率に関する情報は、バッチ単位に提供されることを特徴とする請求項５に記載の銀行券鑑査方法。
【請求項７】
前記損券レベルと前記目標の損券率とは銀行券の券種ごとに指定され、
前記券種毎に前記実際の損券率を制御すること
を特徴とする請求項５または６に記載の銀行券鑑査方法。
【請求項８】
前記実際の損券率は、初期状態からの前記情報提供部が提供する情報を累計して算出されることを特徴とする請求項５乃至７の内いずれか１項に記載の銀行券鑑査方法。
【発明の詳細な説明】
【技術分野】
【０００１】
本発明は、規定した損券の排出量を確保して、オペレータによる損券レベルの変更を低減することのできる銀行券鑑査装置及び鑑査方法に関する。
【背景技術】
【０００２】
銀行券鑑査装置は、銀行券の種類、汚れ、真偽などを鑑査し、鑑査結果に基づき複数の集積部にそれぞれの銀行券を搬送して、分類、施封、裁断等を行う（例えば、特許文献１参照）。  
銀行券鑑査装置は、銀行券の券面の汚れを検知して再利用可能な銀行券（正券）と破棄する銀行券（損券）を峻別する機能を持つ。また、正券と損券の境目である「汚れの度合い」を変更する機能、即ち、損券レベルを調整する機能を持っている。オペレータはこの損券レベルを自由に変更することができる。
【特許文献１】特開２００３−１０９０６８号公報
【発明の開示】
【発明が解決しようとする課題】
【０００３】
ところで、鑑査業務では、上述の銀行券鑑査装置の機能を用いて、基準以上に汚れた銀行券を破棄し、逆に基準以上に綺麗な銀行券を再流通させるという命題がある。一方、発行高管理の観点から、発行する銀行券と廃棄する銀行券を管理して所望の量の銀行券を再流通させる、逆に所望の量の銀行券を廃棄する、という命題も存在する。
【０００４】
これらの２つの命題は背反する部分を有している。従来は、オペレータが各自の判断により損券レベルを変更することで両命題の達成を図っていたが、場合により適切な調整が行われないことが問題となっていた。
【０００５】
本発明はこのような事情に鑑みてなされたものであって、規定した損券の排出量を確保して、オペレータによる損券レベルの変更操作を低減することのできる銀行券鑑査装置及び鑑査方法を提供することを目的とする。
【課題を解決するための手段】
【０００６】
上記課題を解決するための本発明に係る銀行券鑑査装置は、一括供給された銀行券を１枚ずつ機内に供給する供給部と、供給される銀行券の汚損状態を検知する検知部と、検知結果に対応して、前記銀行券の再流通可否を判断する判断部と、検知結果に基づいて、実際の損券率に関する情報を提供する情報提供部と、前記判断部が判断する際の基準である損券レベルと、目標の損券率とを指定する操作部と、前記目標損券率と実際の損券率とを比較して、許容された範囲において前記損券レベルを補正して実際の損券率が目標損券率になるように制御する制御部とを備えた。
【０００７】
また本発明に係る銀行券鑑査方法は、一括供給された銀行券を１枚ずつ機内に供給し、供給される銀行券の汚損状態を検知し、検知結果に対応して、前記銀行券の再流通可否を判断し、検知結果に基づいて、実際の損券率に関する情報を提供し、流通可否を判断する際の基準である損券レベルと、目標の損券率とを指定し、前記目標損券率と実際の損券率とを比較して、許容された範囲において前記損券レベルを補正して実際の損券率が目標損券率になるように制御する。
【発明の効果】
【０００８】
本発明の銀行券鑑査装置及び方法によれば、規定した損券の排出量を確保して、オペレータによる損券レベルの変更操作を低減することができる。
【発明を実施するための最良の形態】
【０００９】
〔第１の実施の形態〕  
以下、本発明の第１の実施形態に係る銀行券鑑査装置について、図面を参照しつつ説明する。
【００１０】
図１は、本発明の一実施形態である銀行券鑑査装置１の全体的な構成を示す外観図である。銀行券鑑査装置１は、銀行券供給部１０、排除集積部１９、表示部２５、操作部２７及び扉２９を備えている。
【００１１】
オペレータは、扉２９を開いて、外部から大量に持ち込まれた銀行券を銀行券供給部１０にセットする。そして鑑査の条件を操作部２７から入力した後に鑑査を開始させる。  
銀行券鑑査装置１は、銀行券を鑑査して指定された条件に従って分類し所定の集積部に搬送する。集積部は、搬送された銀行券を集積すると共に、例えば１００枚単位に施封する。排除集積部１９は、搬送された排除対象の銀行券を集積する。
【００１２】
図２は、銀行券鑑査装置１の操作部２７の外観図である。  
同図において、銀行券供給部１０には扉２９が設けられ、この扉２９は取手３０によって手動で開閉することができる。  
操作部２７には、数字などを入力するテンキー３３、銀行券鑑査装置１の操作を指示する各種操作ボタン３４〜３８、および銀行券の処理枚数を表示するカウンタ３９が設けられ、さらに図示しないキーボードやマウスなどの接続が可能とされている。
【００１３】
また、銀行券供給部１０、表示部２５、及び操作部２７はオペレータがアクセスしやすいように一箇所に集めて配置されている。オペレータはその場で排除集積部１９から排除券を取り出してその内容を確認することができる。さらに、排除集積部１９の上方には表示部２５が配置されており、その表示内容と排除券との照合確認などを効率良く行うことができる。
【００１４】
図３は、銀行券鑑査装置１の内部構成を示す図である。  
銀行券鑑査装置１の内部には、取り出し部１１、搬送路１３、検知部２３、集積部１５、施封部１７、コンベア１８、把集積部２０、裁断部２１及びAudit集積部２２が設けられている。
【００１５】
取り出し部１１は、銀行券供給部１０から銀行券を１枚ずつ取出して、搬送路１３に送り込む。搬送路１３は、送り込まれた銀行券を検知部２３へ供給する。検知部２３は、搬送路１３によって搬送されてくる銀行券に対して必要な検知を行う。また搬送路１３は、検知部２３の検知結果に基づいて銀行券を集積部１５、施封部１７、排除集積部１９または裁断部２１の何れかに搬送する。
【００１６】
集積部１５は、搬送路１３によって搬送されてきた銀行券を集積し、施封部１７は集積された銀行券を１００枚単位で帯により施封する。集積部１５と施封部１７は、一つの集積施封ユニットとして構成され、２つの集積施封ユニットが交互に集積・施封動作を実行する。すなわち、一方の集積施封ユニットは１００枚の銀行券が集積されると施封動作に移り、その間搬送されてきた銀行券は他方の集積施封ユニットに集積されるようになっている。施封された銀行券は、コンベア１８によって把集積部２０に搬送されて集積される。
【００１７】
排除集積部１９は、搬送路１３によって搬送されてくる排除券（後で説明する）を集積する。裁断部２１は、搬送路１３によって搬送されてくる損券（後で説明する）を細片に裁断する。なお、Audit集積部２２は、裁断部２１に送られる銀行券の内、所定の割合の銀行券を調査のためにサンプリングして集積する。
【００１８】
次に、検知結果による銀行券の分類について説明する。  
検知部２３によって、銀行券の券種（額面）、真偽、正損等の判別が行われ、銀行券は「正券」、「損券」、「偽券」、「検知不能券」に分類・判別される。
【００１９】
「正券」とは、検知の結果正規でかつ有効な券、即ち、再利用可能であると判定された券である。「損券」とは、正規の券であるとは認められたが無効な券、即ち、汚損などにより再利用不可能であると判定された券である。「偽券」とは、正規のものと認められなかった券である。「検知不能券」とは、例えば重ね取り、スキュー（券の斜行）、ショートピッチ（搬送経路中において前の券との間隔が短すぎて後段の処理が困難となるもの）等の理由により検知が正しく行えなかった券である。「偽券」と「検知不能券」を併せて「排除券」と呼ぶ。
【００２０】
図４は、銀行券鑑査装置１の制御系統をブロック化して示す図である。  
銀行券鑑査装置１の制御系統は、メインコントローラ６１を中心として構成されている。メインコントローラ６１には、入出力装置としてデータ蓄積装置６０、帳票出力プリンタ６２、表示部２５、操作部２７、及びキーボード・マウス６３が接続されている。
【００２１】
また、メインコントローラ６１には、ＵＳＢ（Universal Serial Bus)ハブ６４などのインターフェースを通じて銀行券鑑査装置１内の各部を制御するコントローラであるトランスポートコントローラ６５、バンダーコントローラ６６、検知コントローラ６７が接続されている。
【００２２】
トランスポートコントローラ６５は、メインコントローラ６１による管理のもと、銀行券供給部１０、取り出し部１１、搬送路１３、コンベア１８、排除集積部１９、把集積部２０、裁断部２１、Audit集積部２２、及びジャーナルプリンタ６８などを制御する。  
なお、ジャーナルプリンタ６８は、データを随時出力するためのプリンタであり、必要に応じて接続される。
【００２３】
バンダーコントローラ６６は、メインコントローラ６１による管理のもと、複数の集積部１５および施封部１７を制御する。  
検知コントローラ６７は、メインコントローラ６１による管理のもと、検知部２３の制御および検知部２３で得られた検知データの処理を行う。  
さらに、メインコントローラ６１はＬＡＮを通じて不図示のネットワークサーバ４１と接続される。
【００２４】
検知部２３には、各種の検出機能を備えた装置が設けられ、検知コントローラ６７を介してメインコントローラ６１との間で検知した情報の授受を行うことで所望の鑑査が実行される。検知部２３には鑑査機能として、銀行券の汚損状態を検知する機能、銀行券の券種を判定する機能、銀行券の真偽を判定する機能などが備えられている。
【００２５】
図５、図６は、損券レベルを操作する手順を示すフロー図である。メインコントローラ６１が銀行券鑑査装置１内の各部との間で情報の授受を行ってこの手順を実行する。
【００２６】
ステップS０１において、オペレータは、操作部２７から初期条件として、希望損券率ｋｒ、初期損券レベルｓｌ、許容レベル上限ｌｍａｘ、許容レベル下限ｌｍｉｎを設定する。  
損券率は、銀行券鑑査装置１に投入された銀行券枚数の内、損券となった枚数の割合（％）である。損券レベルは、正券と損券を判別する基準レベルである。損券レベルが高いと損券と判断されて裁断される銀行券の枚数が増加する。許容レベルは、変更を認める場合の損券レベルの上限値と下限値を表している。
【００２７】
オペレータが上述の初期条件を設定すると、ステップＳ０２において、メインコントローラ６１は、処理のための変数パラメータに初期値を設定する。  
損券レベルｌには、設定された初期損券レベルｓｌを代入する。合計投入枚数ｇｔには０を代入する。合計損券枚数ｇｓには０を代入する。
【００２８】
続いて、オペレータが銀行券を銀行券供給部１０にセットして銀行券鑑査装置１を動作させると、バッチ単位毎にステップＳ０３からステップＳ１６の処理を繰り返して実行する。  
ここでバッチ単位とは、オペレータが１回の鑑査で照合する銀行券の枚数のことで、不図示の設定画面から設定する。例えば、１０００枚と設定すると、銀行券を１０００枚鑑査したときにメインコントローラ６１に対して鑑査結果が入力される。バッチ単位の鑑査結果を受信したメインコントローラ６１は、ステップＳ０３を実行する。
【００２９】
ステップＳ０３において、メインコントローラ６１は、投入枚数ｔと損券枚数ｓを受け取る。ステップＳ０４において、初期設定時からの累計投入枚数ｇｔと累計損券枚数ｇｓに投入枚数ｔと損券枚数ｓとを加算する。ステップＳ０５において、式（１）の損券率ｒを計算する。  
損券率ｒ＝累計損券枚数ｇｓ／累計投入枚数ｇｔ＊１００  ・・・式（１）
ステップＳ１０において、損券率ｒと希望損券率ｋｒとが等しいかどうかを比較する。ここで、損券率ｒと希望損券率ｋｒとの差が所定の範囲内にあれば等しいとしても良い。  
ステップＳ１０でＹｅｓの場合、即ち、損券率ｒと希望損券率ｋｒとが等しい場合は、損券レベルを変更する必要がないため、ステップＳ１６において、次のバッチ処理の入力を待機する。  
ステップＳ１０でＮＯの場合、即ち、損券率ｒと希望損券率ｋｒとが等しくない場合は、ステップＳ１１において、損券率ｒが希望損券率ｋｒより小さいかどうかを調べる。
【００３０】
ステップＳ１１でＹｅｓの場合、即ち損券率ｒが希望損券率ｋｒより小さい場合は、以降の鑑査において、損券の発生枚数を増加させる。そこで、ステップＳ１５において、損券レベルを１単位少なく設定する。設定された損券レベルは、検知コントローラ６７を介して検知部２３の汚損判定レベルに反映される。  
しかし、ステップＳ１４でＹｅｓの場合、即ち、既に損券レベルが下限値以下になっている場合は、これ以上損券レベルを下げることは認められないので、そのままとする。  
そして、ステップＳ１６において、次のバッチ処理の入力を待機する。
【００３１】
ステップＳ１１でＮＯの場合、即ち損券率ｒが希望損券率ｋｒより大きい場合は、以降の鑑査において、損券の発生枚数を減少させる。そこで、ステップＳ１３において、損券レベルを１単位大きく設定する。設定された損券レベルは、検知コントローラ６７を介して検知部２３の汚損判定レベルに反映される。  
しかし、ステップＳ１２でＹｅｓの場合、即ち、既に損券レベルが上限値以上になっている場合は、これ以上損券レベルを上げることは認められないので、そのままとする。  
そして、ステップＳ１６において、次のバッチ処理の入力を待機する。
【００３２】
ステップＳ１６においてＹｅｓの場合、即ち、次のバッチ処理が入力されたときは、ステップＳ０３から上述の処理を繰り返して実行する。  
ステップＳ１６においてＮＯの場合、即ち、鑑査の終了がオペレータによって指示されたときは、この損券レベル制御処理を終了する。
【００３３】
この実施形態によれば、鑑査の処理単位であるバッチ単位で損券率を管理しその結果に応じて所望の損券率になる様に制御が行われる。従って、オペレータの鑑査作業に併せて損券率をコントロールすることができ、結果もバッチ処理の都度、例えば表示部２５またはプリンタ６２の出力から確認することができる。従って、オペレータが損券レベルを操作する頻度を低減することができる。
【００３４】
また上述の手順は、券種毎に実行することができる。従って、券種毎に損券率を設定し、券種毎に損券率をコントロールすることができる。
【００３５】
なお、上述の実施形態では、銀行券を処理する装置について説明したが、本発明はこの例に限定されず、その他、種々の紙葉類の処理装置に適用できることは言うまでもない。
【００３６】
なお、上述の実施の形態で説明した各機能は、ハードウエアを用いて構成しても良く、また、ソフトウエアを用いて各機能を記載したプログラムをコンピュータに読み込ませて実現しても良い。また、各機能は、適宜ソフトウエア、ハードウエアのいずれかを選択して構成するものであっても良い。
【００３７】
更に、各機能は図示しない記録媒体に格納したプログラムをコンピュータに読み込ませることで実現させることもできる。ここで本実施の形態における記録媒体は、プログラムを記録でき、かつコンピュータが読み取り可能な記録媒体であれば、その記録形式は何れの形態であってもよい。
【００３８】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００３９】
【図１】本発明の一実施形態である銀行券鑑査装置の全体的な構成を示す外観図。
【図２】銀行券鑑査装置の操作部の外観図。
【図３】銀行券鑑査装置の内部構成を示す図。
【図４】銀行券鑑査装置の制御系統をブロック化して示す図。
【図５】損券レベルを操作する手順を示すフロー図。
【図６】損券レベルを操作する手順を示すフロー図。
【符号の説明】
【００４０】
１０…銀行券供給部、１１…取出部、１３…搬送路、１５…集積部、１７…施封部、１９…排除集積部、２１…裁断部、２２…Audit集積部、２３…検知部、２５…表示部、２７…操作部、３３…テンキー，３４−３８…各種操作ボタン、６０…データ蓄積装置、６１…メインコントローラ、６５…トランスポートコントローラ、６６…バンダーコントローラ、６７…検知コントローラ。
【図１】
2008250530.tif 000003
【図２】
2008250530.tif 000004
【図３】
2008250530.tif 000005
【図４】
2008250530.tif 000006
【図５】
2008250530.tif 000007
【図６】
2008250530.tif 000008